【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
少なくとも１種の官能基を有する変性共役ジエン系重合体を１０質量％以上含むゴム成分１００質量部に対して、ケイ酸を含有する無機充填剤（Ａ）を１０〜１３０質量部、シランカップリング剤（Ｂ）を無機充填剤（Ａ）に対して１〜２０質量％、及び下記の一般式（Ｉ）〜（III）で表される化合物からなる群から選ばれた少なくとも１種の化合物（Ｃ）を０．５〜１０質量部配合してなるタイヤ用ゴム組成物。
【化１】
2008297358.tif 000001
［式中、Ａ1、Ａ2及びＡ3はこれらのうち一つが式−（Ｒ1Ｏ）n−ＣＯ−ＣＲ2＝ＣＲ3−Ｒ4で表される基であり（ここでＲ1は炭素数２〜４のアルキレン基、Ｒ2、Ｒ3及びＲ4はそれぞれ独立に水素原子又はメチル基、ｎはオキシアルキレン基の平均付加モル数を示す１〜３０の数である）、他は水素原子である。］
【化２】
2008297358.tif 000002
［式中、Ｒ5、Ｒ6及びＲ7はそれぞれ独立に炭素数２〜４のアルキレン基であり、ｍ１、ｍ２及びｍ３はそれぞれオキシアルキレン基の平均付加モル数を示す数で、ｍ１＋ｍ２＋ｍ３が０〜９０となる数である］
【化３】
2008297358.tif 000003
［式中、Ｒ8は、式−Ｒ9Ｏ−で示される基、式−（Ｒ10Ｏ）S−で示される基、式−ＣＨ2ＣＨ（ＯＨ）ＣＨ2Ｏ−で示される基又は式−（Ｒ11Ｏ−ＣＯ−Ｒ12−ＣＯＯ−）t−Ｒ11Ｏ−で示される基である。Ｒ9は炭素数２〜３６のアルキレン基，アルケニレン基又は２価の芳香族炭化水素基、Ｒ10は炭素数２〜４のアルキレン基、ｓはオキシアルキレン基の平均付加モル数を示す１〜６０の数、Ｒ11は炭素数２〜１８のアルキレン基，アルケニレン基，２価の芳香族炭化水素基又は−（Ｒ13Ｏ）uＲ13−（Ｒ13は炭素数２〜４のアルキレン基、ｕはオキシアルキレン基の平均付加モル数を示す１〜３０の数）、Ｒ12は炭素数２〜１８のアルキレン基，アルケニレン基又は２価の芳香族炭化水素基、ｔは平均値で１〜３０の数である。］
【請求項２】
前記ケイ酸を含有する無機充填剤（Ａ）がシリカである請求項１に記載のタイヤ用ゴム組成物。
【請求項３】
前記変性共役ジエン系重合体が、１，３−ブタジエンと芳香族ビニル化合物との共重合体、又は１，３−ブタジエンもしくはイソプレンの単独重合体である請求項１又は２に記載のタイヤ用ゴム組成物。
【請求項４】
前記芳香族ビニル化合物が、スチレンである請求項３に記載のタイヤ用ゴム組成物。
【請求項５】
前記変性共役ジエン系重合体のガラス転移点（Ｔｇ）が、１０℃以下である請求項１〜４のいずれかに記載のタイヤ用ゴム組成物。
【請求項６】
前記変性共役ジエン系重合体の官能基が、前記変性共役ジエン系重合体の重合開始側もしくは重合停止側の末端及び／又は主鎖中もしくは側鎖中にある請求項１〜５のいずれかに記載のタイヤ用ゴム組成物。
【請求項７】
前記変性共役ジエン系重合体が、有機アルカリ金属化合物又は希土類金属化合物を用いて重合したものである請求項１〜６のいずれかに記載のタイヤ用ゴム組成物。
【請求項８】
前記有機アルカリ金属化合物が、ヒドロカルビルリチウム化合物、リチウムアミド化合物又は第１族金属アルコキシドである請求項７に記載のタイヤ用ゴム組成物。
【請求項９】
前記第１族金属が、リチウム、ナトリウム、カリウム、ルビジウム、セシウムである請求項８に記載のタイヤ用ゴム組成物。
【請求項１０】
前記変性共役ジエン系重合体の官能基が、窒素を含む官能基、珪素を含む官能基、酸素又は硫黄を含む官能基及び金属を含む官能基からなる群から選択された官能基である請求項１〜９のいずれかに記載のタイヤ用ゴム組成物。
【請求項１１】
前記窒素を含む官能基が、置換もしくは非置換のアミノ基、アミド残基、イソシアネート基、イミダゾリル基、インドリル基、ニトリル基、ピリジル基及びケチミン基からなる群から選択された官能基である請求項１０に記載のタイヤ用ゴム組成物。
【請求項１２】
前記珪素を含む官能基が、加水分解によりシラノール基を生成する官能基である請求項１０に記載のタイヤ用ゴム組成物。
【請求項１３】
前記珪素を含む官能基が、アルコキシシリル基、アルキルハロシリル基、シロキシ基、アルキルアミノシリル基及びアルコキシハロシリル基からなる群から選択された官能基である請求項１０に記載のタイヤ用ゴム組成物。
【請求項１４】
前記酸素又は硫黄を含む官能基が、水酸基、カルボキシル基、エポキシ基、グリシドキシ基、ジグリシジルアミノ基、サイクリックジチアン由来の官能基、エステル基、アルデヒド基、アルコキシ基、ケトン基、チオカルボキシル基、チオエポキシ基、チオグリシドキシ基、チオジグリシジルアミノ基、チオエステル基、チオアルデヒド基、チオアルコキシ基及びチオケトン基からなる群から選択された官能基である請求項１０に記載のタイヤ用ゴム組成物。
【請求項１５】
前記金属を含む官能基が、有機金属を含む官能基である請求項１０に記載のタイヤ用ゴム組成物。
【請求項１６】
前記窒素を含む官能基が、下記式（IV）：
【化４】
2008297358.tif 000004
［式中、Ｒ14は、それぞれ独立して炭素数１〜１２のアルキル基、炭素数３〜１２のシクロアルキル基又は炭素数７〜１２のアラルキル基である］で表される置換アミノ基 、及び下記式(Ｖ)：
【化５】
2008297358.tif 000005
［式中、Ｒ15は、３〜１６のメチレン基を有するアルキレン基、置換アルキレン基、オキシアルキレン基又はＮ-アルキルアミノ-アルキレン基を示す］で表される環状アミノ基からなる群から選択されてなる請求項１０に記載のタイヤ用ゴム組成物。
【請求項１７】
前記変性共役ジエン系重合体が、活性末端を有する共役ジエン系重合体の該活性末端に、下記式（VI）：
【化６】
2008297358.tif 000006
［式中、Ａ4は(チオ)エポキシ基、(チオ)イソシアネート基、(チオ)ケトン基、(チオ)アルデヒド基、イミン残基、アミド残基、イソシアヌル酸トリエステル残基、(チオ)カルボン酸ヒドロカルビルエステル残基、(チオ)カルボン酸残基の金属塩、カルボン酸無水物残基、カルボン酸ハロゲン化物残基、炭酸ジヒドロカルビルエステル残基、環状第２アミン残基、非環状第２アミン残基、ピリジン基及びシラザン基の中から選ばれる少なくとも一種の官能基を有する一価の基あるいはジスルフィド基であり；Ｒ16及びＲ17は、それぞれ独立に炭素数１〜２０の一価の脂肪族炭化水素基又は炭素数６〜１８の一価の芳香族炭化水素基であり；Ｒ18は単結合又は炭素数１〜２０の二価の不活性炭化水素基であり；ｎは１〜３の整数であり；ＯＲ16が複数ある場合、複数のＯＲ16はたがいに同一でも異なっていてもよく；Ｒ17が複数ある場合、複数のＲ17はたがいに同一でも異なっていてもよく；また分子中には活性プロトン及びオニウム塩は含まれない］で表されるヒドロカルビルオキシシラン化合物及び下記式（VII）：
Ｒ19p−Ｓｉ−（ＯＲ20）4-p        ・・・(VII)
［式中、Ｒ19及びＲ20は、それぞれ独立して炭素数１〜２０の一価の脂肪族炭化水素基又は炭素数６〜１８の一価の芳香族炭化水素基であり；ｐは０〜２の整数であり；Ｒ19が複数ある場合、複数のＲ19はたがいに同一でも異なっていてもよく；ＯＲ20が複数ある場合、複数のＯＲ20はたがいに同一でも異なっていてもよく；また分子中には活性プロトン及びオニウム塩は含まれない］で表されるヒドロカルビルオキシシラン化合物からなる群から選択される少なくとも一種を反応させて得たものである請求項１０、１２又は１３に記載のタイヤ用ゴム組成物。
【請求項１８】
前記ゴム成分が、前記変性共役ジエン系重合体と他のジエン系ゴムとを含む請求項１〜１７のいずれかに記載のタイヤ用ゴム組成物。
【請求項１９】
請求項１〜１８のいずれかに記載のゴム組成物を含有する部材を用いてなるタイヤ。
【請求項２０】
前記部材がトレッドである請求項１９に記載のタイヤ。
【手続補正２】
【補正対象書類名】明細書
【補正対象項目名】発明の名称
【補正方法】変更
【補正の内容】
【発明の名称】タイヤ用ゴム組成物及びそれを用いたタイヤ